(57)【要約】【課題】  遺伝子検査における検査時間を短縮して検査効率を大幅に向上させることのできる遺伝子反応管および遺伝子検出装置を提供すること。【解決手段】  一端面に遺伝子および試薬を含む遺伝子検査液を収容するための凹部１ａを有する柱状の基体１と、凹部１ａに一端部が挿入されて凹部１ａを塞ぐように取着される光ファイバ２ｃとを具備している。【選択図】  図１
2005095089.tif 000002
【特許請求の範囲】
【請求項１】
一端面に遺伝子および試薬を含む遺伝子検査液を収容するための凹部を有する柱状の基体と、前記凹部に一端部が挿入されて前記凹部を塞ぐように取着される光ファイバとを具備していることを特徴とする遺伝子反応管。
【請求項２】
一端面に遺伝子および試薬を含む遺伝子検査液を収容するための凹部を有する柱状の基体と、前記凹部を塞ぐように取着される蓋体とを具備しており、前記蓋体は、前記凹部に通じる貫通穴が形成されているとともに該貫通穴に一端部が挿通固定された光ファイバが設けられていることを特徴とする遺伝子反応管。
【請求項３】
内部に遺伝子および試薬を含む遺伝子検査液が注入される筒状の基体と、該基体の両端の開口の少なくとも一方に一端部が挿入されて前記開口を塞ぐ光ファイバが取着されていることを特徴とする遺伝子反応管。
【請求項４】
内部に遺伝子および試薬を含む遺伝子検査液が注入される筒状の基体と、該基体の両端面に取着される蓋体とを具備しており、該蓋体の少なくとも一方は、前記基体の内側に通じる貫通穴が形成されているとともに該貫通穴に一端部が挿通固定された光ファイバが設けられていることを特徴とする遺伝子反応管。
【請求項５】
一端面に遺伝子および試薬を含む遺伝子検査液を収容するための凹部を有するとともに、外側面から前記凹部の内側面にかけて貫通孔が形成された柱状の基体と、前記貫通孔および前記凹部の少なくとも一方に一端部が挿入されて前記凹部を塞ぐように取着される光ファイバとを具備していることを特徴とする遺伝子反応管。
【請求項６】
一端面に遺伝子および試薬を含む遺伝子検査液を収容するための凹部を有するとともに、外側面から前記凹部の内側面にかけて貫通孔が形成された柱状の基体と、前記貫通孔を塞ぐように取着された窓部材と、前記凹部を塞ぐように取着される蓋体とを具備しており、前記窓部材および前記蓋体の少なくとも一方は、前記凹部に通じる貫通穴が形成されているとともに該貫通穴に一端部が挿通固定された光ファイバが設けられていることを特徴とする遺伝子反応管。
【請求項７】
外側面から内側面にかけて貫通孔が形成された、内部に遺伝子および試薬を含む遺伝子検査液が注入される筒状の基体と、前記貫通孔および前記両端の開口の少なくとも一つに一端部が挿入されて前記基体の内側を塞ぐように取着される光ファイバとを具備していることを特徴とする遺伝子反応管。
【請求項８】
外側面から内側面にかけて貫通孔が形成された、内部に遺伝子および試薬を含む遺伝子検査液が注入される筒状の基体と、前記貫通孔を塞ぐように取着された窓部材と、前記基体の両端面に取着される蓋体とを具備しており、前記窓部材および前記蓋体の少なくとも１つは、前記基体の内側に通じる貫通穴が形成されているとともに該貫通穴に一端部が挿通固定された光ファイバが設けられていることを特徴とする遺伝子反応管。
【請求項９】
前記基体は、ジルコニア質焼結体，アルミナ質焼結体，窒化珪素質焼結体または窒化アルミニウム質焼結体から成ることを特徴とする請求項１乃至請求項８のいずれかに記載の遺伝子反応管。
【請求項１０】
前記基体は、その外側面および内側面が円筒面とされていることを特徴とする請求項１乃至請求項９のいずれかに記載の遺伝子反応管。
【請求項１１】
請求項１乃至請求項１０のいずれかに記載の遺伝子反応管と、前記光ファイバに紫外線を入射させるための紫外線照射手段と、前記遺伝子検査液から出てきた光を検知するための光検知手段と、前記遺伝子反応管の温度を制御するための温度制御手段とを具備しており、前記温度制御手段により前記遺伝子反応管内の前記遺伝子検査液中の遺伝子を反応させるとともに、前記紫外線照射手段によって紫外線を光ファイバを介して前記遺伝子検査液に照射し、前記遺伝子検査液中の前記遺伝子の紫外線との反応により生じた蛍光を前記光検知手段により検知することを特徴とする遺伝子検査装置。
【請求項１２】
請求項１乃至請求項１０のいずれかに記載の遺伝子反応管と、前記遺伝子検査液に紫外線を入射させるための紫外線照射手段と、前記光ファイバから出射された光を検知するための光検知手段と、前記遺伝子反応管の温度を制御するための温度制御手段とを具備しており、前記温度制御手段により前記遺伝子反応管内の前記遺伝子検査液中の遺伝子を反応させるとともに、前記紫外線照射手段によって紫外線を前記遺伝子検査液に照射し、前記遺伝子検査液中の前記遺伝子の紫外線との反応により生じて前記光ファイバを介して出射された蛍光を前記光検知手段により検知することを特徴とする遺伝子検査装置。
【発明の詳細な説明】
【技術分野】
【０００１】
本発明は、遺伝子の増幅に用いられる遺伝子反応管および増幅した遺伝子から遺伝子情報を検出するための遺伝子検査装置に関する。
【背景技術】
【０００２】
検査目的の遺伝子の本体であるＤＮＡ（デオキシリボ核酸）を有する血液等の検体と試薬とを混合させた遺伝子検査液を収納し、遺伝子の増幅反応を行なうための容器であるマイクロプレートと呼ばれる従来の遺伝子反応管１０３を図１８（ａ），（ｂ）に示す。ここで図１８（ａ）は遺伝子反応管１０３の断面図、図１８（ｂ）は蓋体１０２を外した状態での斜面図である。
【０００３】
従来の遺伝子反応管１０３を使用した遺伝子増幅方法は、代表的なものとしてＰＣＲ（ポリメラーゼ・チェイン・リアクション）法、ＩＣＡＮ法、ＬＡＭＰ法等が存在する。近年、非放射性標識を用いた遺伝子の変異を同定するＰＣＲ法が注目されている。
【０００４】
ＰＣＲ法とはＤＮＡを複製する酵素（耐熱性のＤＮＡポリメラーゼ）を利用して特定のＤＮＡ領域を短時間で増幅する方法である。先ず、目的の遺伝子の本体であるＤＮＡ（ゲノムＤＮＡ等）の領域に対して相補的な塩基配列を持つ遺伝子の断片（プライマー）を合成する。次に、２本鎖のＤＮＡを加熱処理（約９０℃）して一本鎖の鋳型ＤＮＡに分離し、その後冷却（約５０℃）してプライマーを結合させる。そこに熱に安定なＤＮＡポリメラーゼを加え、再度加熱（約７０℃）して１本の鋳型ＤＮＡを２本に増幅する。この一連の工程を複数繰り返すことにより目的の遺伝子の本体であるＤＮＡを指数関数的に短時間で増幅することができる。
【０００５】
つまり、１回の工程で２本のＤＮＡが複製されるので、これを２０回繰り返せば２２０＝で約１００万倍に、３０回で２３０＝約１億倍に複製できる。しかもこの増幅は短時間でできるという長所がある。
【０００６】
そして、このようなＰＣＲ法により増幅された遺伝子を蛍光検出法によって遺伝子情報を検出することができる。即ち、増幅された遺伝子に特定の物質にのみ結合する化学的なマーキングを施した後、特定波長の紫外線を当てるとマーキング部が反応して蛍光を発するため、施したマーキングの種類により遺伝子の特徴を知ることが可能となる。
【特許文献１】特開２００３−１９４８１７号公報
【発明の開示】
【発明が解決しようとする課題】
【０００７】
近年、遺伝子検査における検査時間の短縮に対する要求が急激に増加している。しかしながら、ＰＣＲ法による遺伝子増幅反応を行なうプロセスは、目的の遺伝子の本体であるＤＮＡを有する検体とＰＣＲ法用試薬とを混合した遺伝子検査液をヒーターにより加熱して５０〜９０℃の範囲で温度を変化させて反応させ、この工程を３０〜４０回繰り返すことにより行なわれるため、遺伝子検査液が蒸発して液量が減少し易いものであり、遺伝子検査液の蒸発を防止するために蓋体１０２を取着させるものの、従来の遺伝子反応管１０３は基体１０１および蓋体１０２がポリプロピレン等のプラスティックから成るために気密性が悪く、遺伝子検査液の蒸発を見越して液量を５０μＬ程度も用いる必要があった。そのため、遺伝子検査液を所望の温度とするのに時間がかかり、検査時間を短縮するのが困難であるという問題点を有していた。
【０００８】
また、従来のポリプロピレン等のプラスティックから成る遺伝子反応管１０３は熱伝導率が低いため、内部に収容する遺伝子検査液を所望の温度とするのに時間がかかるとともに、遺伝子検査液を温度制御するのが困難であるという問題点も有していた。
【０００９】
さらに、従来においては、増幅を行なった後の遺伝子検査液に対して紫外線を照射して遺伝子検査液の蛍光反応から遺伝子情報を確認する際、増幅反応後の遺伝子検査液を別の容器に移して紫外線を照射し蛍光反応を確認する必要があった。そのため、遺伝子反応管１０３から完全に遺伝子検査液を取り出すことは非常に困難であり、遺伝子検査液を多量に用いる必要があるとともに、非常に作業効率が悪いという問題点があった。
【００１０】
本発明は、上記問題点に鑑み完成されたものであり、その目的は、遺伝子検査における検査時間を短縮して検査効率を大幅に向上させることのできる遺伝子反応管および遺伝子検出装置を提供することにある。
【課題を解決するための手段】
【００１１】
本発明の第１の遺伝子反応管は、一端面に遺伝子および試薬を含む遺伝子検査液を収容するための凹部を有する柱状の基体と、前記凹部に一端部が挿入されて前記凹部を塞ぐように取着される光ファイバとを具備していることを特徴とする。
【００１２】
本発明の第２の遺伝子反応管は、一端面に遺伝子および試薬を含む遺伝子検査液を収容するための凹部を有する柱状の基体と、前記凹部を塞ぐように取着される蓋体とを具備しており、前記蓋体は、前記凹部に通じる貫通穴が形成されているとともに該貫通穴に一端部が挿通固定された光ファイバが設けられていることを特徴とする。
【００１３】
本発明の第３の遺伝子反応管は、内部に遺伝子および試薬を含む遺伝子検査液が注入される筒状の基体と、該基体の両端の開口の少なくとも一方に一端部が挿入されて前記開口を塞ぐ光ファイバが取着されていることを特徴とする。
【００１４】
本発明の第４の遺伝子反応管は、内部に遺伝子および試薬を含む遺伝子検査液が注入される筒状の基体と、該基体の両端面に取着される蓋体とを具備しており、該蓋体の少なくとも一方は、前記基体の内側に通じる貫通穴が形成されているとともに該貫通穴に一端部が挿通固定された光ファイバが設けられていることを特徴とする。
【００１５】
本発明の第５の遺伝子反応管は、一端面に遺伝子および試薬を含む遺伝子検査液を収容するための凹部を有するとともに、外側面から前記凹部の内側面にかけて貫通孔が形成された柱状の基体と、前記貫通孔および前記凹部の少なくとも一方に一端部が挿入されて前記凹部を塞ぐように取着される光ファイバとを具備していることを特徴とする。
【００１６】
本発明の第６の遺伝子反応管は、一端面に遺伝子および試薬を含む遺伝子検査液を収容するための凹部を有するとともに、外側面から前記凹部の内側面にかけて貫通孔が形成された柱状の基体と、前記貫通孔を塞ぐように取着された窓部材と、前記凹部を塞ぐように取着される蓋体とを具備しており、前記窓部材および前記蓋体の少なくとも一方は、前記凹部に通じる貫通穴が形成されているとともに該貫通穴に一端部が挿通固定された光ファイバが設けられていることを特徴とする。
【００１７】
本発明の第７の遺伝子反応管は、外側面から内側面にかけて貫通孔が形成された、内部に遺伝子および試薬を含む遺伝子検査液が注入される筒状の基体と、前記貫通孔および前記両端の開口の少なくとも一つに一端部が挿入されて前記基体の内側を塞ぐように取着される光ファイバとを具備していることを特徴とする。
【００１８】
本発明の第８の遺伝子反応管は、外側面から内側面にかけて貫通孔が形成された、内部に遺伝子および試薬を含む遺伝子検査液が注入される筒状の基体と、前記貫通孔を塞ぐように取着された窓部材と、前記基体の両端面に取着される蓋体とを具備しており、前記窓部材および前記蓋体の少なくとも１つは、前記基体の内側に通じる貫通穴が形成されているとともに該貫通穴に一端部が挿通固定された光ファイバが設けられていることを特徴とする。
【００１９】
本発明の第９の遺伝子反応管は、好ましくは、前記基体は、ジルコニア質焼結体，アルミナ質焼結体，窒化珪素質焼結体または窒化アルミニウム質焼結体から成ることを特徴とする。
【００２０】
本発明の遺伝子反応管において、好ましくは、前記基体はその外側面および内側面が円筒面とされていることを特徴とする。
【００２１】
本発明の遺伝子検査装置は、上記本発明の遺伝子反応管と、前記光ファイバに紫外線を入射させるための紫外線照射手段と、前記遺伝子検査液から出てきた光を検知するための光検知手段と、前記遺伝子反応管の温度を制御するための温度制御手段とを具備しており、前記温度制御手段により前記遺伝子反応管内の前記遺伝子検査液中の遺伝子を反応させるとともに、前記紫外線照射手段によって紫外線を光ファイバを介して前記遺伝子検査液に照射し、前記遺伝子検査液中の前記遺伝子の紫外線との反応により生じた蛍光を前記光検知手段により検知することを特徴とする。
【００２２】
本発明の遺伝子検査装置は、前記遺伝子検査液に紫外線を入射させるための紫外線照射手段と、前記光ファイバから出射された光を検知するための光検知手段と、前記遺伝子反応管の温度を制御するための温度制御手段とを具備しており、前記温度制御手段により前記遺伝子反応管内の前記遺伝子検査液中の遺伝子を反応させるとともに、前記紫外線照射手段によって紫外線を前記遺伝子検査液に照射し、前記遺伝子検査液中の前記遺伝子の紫外線との反応により生じて前記光ファイバを介して出射された蛍光を前記光検知手段により検知することを特徴とする。
【発明の効果】
【００２３】
本発明の第１の遺伝子反応管は、一端面に遺伝子および試薬を含む遺伝子検査液を収容するための凹部を有する柱状の基体と、凹部に一端部が挿入されて凹部を塞ぐように取着される光ファイバとを具備していることから、遺伝子反応管内で遺伝子検査液を反応させた後、紫外線を光ファイバを通して遺伝子検査液に照射させ、遺伝子検査液中の遺伝子の紫外線との反応により生じた蛍光を検知して遺伝子情報を検出することができ、遺伝子検査液を別の容器に移す必要がない。従って、作業効率を非常に向上させることができるとともに、遺伝子検査液の液量を少なくすることができるので遺伝子増幅反応の時間を短縮することができる。その結果、遺伝子検査における検査時間を大幅に短縮することができる。
【００２４】
また、紫外線を光ファイバを通して遺伝子反応管内に入射するので、紫外線が遺伝子検査液に届く前に光強度が減衰するのを有効に抑制でき、強度の小さい紫外線でも安定した遺伝子情報の検出を行なうことが可能となり遺伝子検査装置を省電力化することができる。さらに遺伝子検査液から生じた蛍光を反射し易い材質で基体を構成すると、蛍光が基体に吸収されたり基体を透過したりして蛍光強度が低下するのを有効に抑制して凹部の開口から高効率に蛍光を検出することができることから、紫外線の強度をさらに小さくして蛍光強度が小さくなっても安定した遺伝子情報の検出が可能となり、さらに遺伝子検出装置を省電力化することができる。
【００２５】
さらに、柔軟性のある光ファイバを通して効率よく紫外線を照射できるので、紫外線照射手段を遺伝子反応管に接近させて設置する必要はなく、遺伝子検査装置の設計自由度を著しく向上させることができ、遺伝子検査装置を小型化するのが容易になる。
【００２６】
本発明の第２の遺伝子反応管は、一端面に遺伝子および試薬を含む遺伝子検査液を収容するための凹部を有する柱状の基体と、凹部を塞ぐように取着される蓋体とを具備しており、蓋体は、凹部に通じる貫通穴が形成されているとともに貫通穴に一端部が挿通固定された光ファイバが設けられていることから、遺伝子反応管内で遺伝子検査液を反応させた後、紫外線を光ファイバを通して遺伝子検査液に照射させ、遺伝子検査液中の遺伝子の紫外線との反応により生じた蛍光を検知して遺伝子情報を検出することができ、遺伝子検査液を別の容器に移す必要がない。従って、作業効率を非常に向上させることができるとともに、遺伝子検査液の液量を少なくすることができるので遺伝子増幅反応の時間を短縮することができる。その結果、遺伝子検査における検査時間を大幅に短縮することができる。
【００２７】
また、紫外線を光ファイバを通して遺伝子反応管内に入射するので、紫外線が遺伝子検査液に届く前に光強度が減衰するのを有効に抑制でき、強度の小さい紫外線でも安定した遺伝子情報の検出を行なうことが可能となり遺伝子検査装置を省電力化することができる。さらに遺伝子検査液から生じた蛍光を反射し易い材質で基体を構成すると、蛍光が基体に吸収されたり基体を透過したりして蛍光強度が低下するのを有効に抑制して凹部の開口から高効率に蛍光を検出することができることから、紫外線の強度をさらに小さくして蛍光強度が小さくなっても安定した遺伝子情報の検出が可能となり、さらに遺伝子検出装置を省電力化することができる。
【００２８】
さらに、柔軟性のある光ファイバを通して効率よく紫外線を照射できるので、紫外線照射手段を遺伝子反応管に接近させて設置する必要はなく、遺伝子検査装置の設計自由度を著しく向上させることができ、遺伝子検査装置を小型化するのが容易になる。
【００２９】
また、光ファイバを蓋体に安定に固定した状態で基体に取着することができるので、光ファイバの位置精度を非常に良好にして紫外線を遺伝子検査液へ好適な入射角度で照射させ、紫外線の照射効率をより高めることができるとともに、遺伝子検査管内の気密性をより向上させることができ、遺伝子検査液の反応中における減少を非常に少なくすることができる。
【００３０】
本発明の第３の遺伝子反応管は、内部に遺伝子および試薬を含む遺伝子検査液が注入される筒状の基体と、基体の両端の開口の少なくとも一方に一端部が挿入されて開口を塞ぐ光ファイバが取着されていることから、遺伝子反応管内で遺伝子検査液を反応させた後、紫外線を光ファイバを通して遺伝子検査液に照射させ、遺伝子検査液中の遺伝子の紫外線との反応により生じた蛍光を検知して遺伝子情報を検出することができ、遺伝子検査液を別の容器に移す必要がない。従って、作業効率を非常に向上させることができるとともに、遺伝子検査液の液量を少なくすることができるので遺伝子増幅反応の時間を短縮することができる。その結果、遺伝子検査における検査時間を大幅に短縮することができる。
【００３１】
また、紫外線を光ファイバを通して遺伝子反応管内に入射するので、紫外線が遺伝子検査液に届く前に光強度が減衰するのを有効に抑制でき、強度の小さい紫外線でも安定した遺伝子情報の検出を行なうことが可能となり遺伝子検査装置を省電力化することができる。さらに遺伝子検査液から生じた蛍光を反射し易い材質で基体を構成すると、蛍光が基体に吸収されたり基体を透過したりして蛍光強度が低下するのを有効に抑制して基体の開口から高効率に蛍光を検出することができることから、紫外線の強度をさらに小さくして蛍光強度が小さくなっても安定した遺伝子情報の検出が可能となり、さらに遺伝子検出装置を省電力化することができる。
【００３２】
さらに、柔軟性のある光ファイバを通して効率よく紫外線を照射できるので、紫外線照射手段を遺伝子反応管に接近させて設置する必要はなく、遺伝子検査装置の設計自由度を著しく向上させることができ、遺伝子検査装置を小型化するのが容易になる。
【００３３】
また、基体の両端に光ファイバを取着し、一方の光ファイバを通して紫外線を照射するとともに他方の光ファイバで遺伝子検査液から生じた蛍光を検知することにより、または、基体の一端に光ファイバを取着し、光ファイバを通して紫外線を照射するとともに遺伝子検査液から生じた蛍光を他端の開口から検知することにより、基体の一端の一つの開口で紫外線照射と蛍光検出とを両方行なうよりも非常に高効率かつ高精度に紫外線照射および蛍光検出を行なうことができ、遺伝子検査の検査時間および精度を著しく向上させることができる。
【００３４】
本発明の第４の遺伝子反応管は、内部に遺伝子および試薬を含む遺伝子検査液が注入される筒状の基体と、基体の両端面に取着される蓋体とを具備しており、蓋体の少なくとも一方は、基体の内側に通じる貫通穴が形成されているとともに貫通穴に一端部が挿通固定された光ファイバが設けられていることから、遺伝子反応管内で遺伝子検査液を反応させた後、紫外線を光ファイバを通して遺伝子検査液に照射させ、遺伝子検査液中の遺伝子の紫外線との反応により生じた蛍光を検知して遺伝子情報を検出することができ、遺伝子検査液を別の容器に移す必要がない。従って、作業効率を非常に向上させることができるとともに、遺伝子検査液の液量を少なくすることができるので遺伝子増幅反応の時間を短縮することができる。その結果、遺伝子検査における検査時間を大幅に短縮することができる。
【００３５】
また、紫外線を光ファイバを通して遺伝子反応管内に入射するので、紫外線が遺伝子検査液に届く前に光強度が減衰するのを有効に抑制でき、強度の小さい紫外線でも安定した遺伝子情報の検出を行なうことが可能となり遺伝子検査装置を省電力化することができる。さらに遺伝子検査液から生じた蛍光を反射し易い材質で基体を構成すると、蛍光が基体に吸収されたり基体を透過したりして蛍光強度が低下するのを有効に抑制して基体の開口から高効率に蛍光を検出することができることから、紫外線の強度をさらに小さくして蛍光強度が小さくなっても安定した遺伝子情報の検出が可能となり、さらに遺伝子検出装置を省電力化することができる。
【００３６】
さらに、柔軟性のある光ファイバを通して効率よく紫外線を照射できるので、紫外線照射手段を遺伝子反応管に接近させて設置する必要はなく、遺伝子検査装置の設計自由度を著しく向上させることができ、遺伝子検査装置を小型化するのが容易になる。
【００３７】
また、基体の両端に光ファイバを取着し、一方の光ファイバを通して紫外線を照射するとともに他方の光ファイバで遺伝子検査液から生じた蛍光を検知することにより、または、基体の一端に光ファイバを取着し、光ファイバを通して紫外線を照射するとともに遺伝子検査液から生じた蛍光を他端の開口から検知することにより、基体の一端の一つの開口で紫外線照射と蛍光検出とを両方行なうよりも非常に高効率かつ高精度に紫外線照射および蛍光検出を行なうことができ、遺伝子検査の検査時間および精度を著しく向上させることができる。
【００３８】
また、光ファイバを蓋体に安定して固定した状態で基体に取着することができるので、光ファイバの位置精度を非常に良好にして紫外線を遺伝子検査液へ好適な入射角度で照射させ、紫外線の照射効率をより高めることができるとともに、遺伝子検査管内の気密性をより向上させることができ、遺伝子検査液の反応中における減少を非常に少なくすることができる。
【００３９】
本発明の第５の遺伝子反応管は、一端面に遺伝子および試薬を含む遺伝子検査液を収容するための凹部を有するとともに、外側面から凹部の内側面にかけて貫通孔が形成された柱状の基体と、貫通孔および凹部の少なくとも一方に一端部が挿入されて貫通孔および凹部の少なくとも一方を塞ぐように取着される光ファイバとを具備していることから、遺伝子反応管内で遺伝子検査液を反応させた後、紫外線を光ファイバを通して遺伝子検査液に照射させ、遺伝子検査液中の遺伝子の紫外線との反応により生じた蛍光を検知して遺伝子情報を検出することができ、遺伝子検査液を別の容器に移す必要がない。従って、作業効率を非常に向上させることができるとともに、遺伝子検査液の液量を少なくすることができるので遺伝子増幅反応の時間を短縮することができる。その結果、遺伝子検査における検査時間を大幅に短縮することができる。
【００４０】
また、紫外線を光ファイバを通して遺伝子反応管内に入射するので、紫外線が遺伝子検査液に届く前に光強度が減衰するのを有効に抑制でき、強度の小さい紫外線でも安定した遺伝子情報の検出を行なうことが可能となり遺伝子検査装置を省電力化することができる。さらに遺伝子検査液から生じた蛍光を反射し易い材質で基体を構成すると、蛍光が基体に吸収されたり基体を透過したりして蛍光強度が低下するのを有効に抑制して基体の開口や貫通孔から高効率に蛍光を検出することができることから、紫外線の強度をさらに小さくして蛍光強度が小さくなっても安定した遺伝子情報の検出が可能となり、さらに遺伝子検出装置を省電力化することができる。
【００４１】
さらに、柔軟性のある光ファイバを通して効率よく紫外線を照射できるので、紫外線照射手段を遺伝子反応管に接近させて設置する必要はなく、遺伝子検査装置の設計自由度を著しく向上させることができ、遺伝子検査装置を小型化するのが容易になる。
【００４２】
また、基体の凹部の開口から光ファイバを通して紫外線を照射し、遺伝子検査液から生じた蛍光を貫通孔から検知することにより、または、貫通孔から光ファイバを通して紫外線を照射し、遺伝子検査液から生じた蛍光を凹部の開口から検知することにより、基体の一端の一つの開口で紫外線照射と蛍光検出とを両方行なうよりも非常に高効率かつ高精度に紫外線照射および蛍光検出を行なうことができ、遺伝子検査の検査時間および精度を著しく向上できる。また、紫外線の照射方向に対して直角方向で蛍光を検出することができるため、紫外線が光検知手段に直接入り込んでノイズとなるのを防止でき、遺伝子情報の検出の分解能をより高くすることができる。
【００４３】
本発明の第６の遺伝子反応管は、一端面に遺伝子および試薬を含む遺伝子検査液を収容するための凹部を有するとともに、外側面から凹部の内側面にかけて貫通孔が形成された柱状の基体と、貫通孔を塞ぐように取着された窓部材と、凹部を塞ぐように取着される蓋体とを具備しており、窓部材および蓋体の少なくとも一方は、凹部に通じる貫通穴が形成されているとともに貫通穴に一端部が挿通固定された光ファイバが設けられていることから、遺伝子反応管内で遺伝子検査液を反応させた後、紫外線を光ファイバを通して遺伝子検査液に照射させ、遺伝子検査液中の遺伝子の紫外線との反応により生じた蛍光を検知して遺伝子情報を検出することができ、遺伝子検査液を別の容器に移す必要がない。従って、作業効率を非常に向上させることができるとともに、遺伝子検査液の液量を少なくすることができるので遺伝子増幅反応の時間を短縮することができる。その結果、遺伝子検査における検査時間を大幅に短縮することができる。
【００４４】
また、紫外線を光ファイバを通して遺伝子反応管内に入射するので、紫外線が遺伝子検査液に届く前に光強度が減衰するのを有効に抑制でき、強度の小さい紫外線でも安定した遺伝子情報の検出を行なうことが可能となり遺伝子検査装置を省電力化することができる。さらに遺伝子検査液から生じた蛍光を反射し易い材質で基体を構成すると、蛍光が基体に吸収されたり基体を透過したりして蛍光強度が低下するのを有効に抑制して基体の開口や貫通孔から高効率に蛍光を検出することができることから、紫外線の強度をさらに小さくして蛍光強度が小さくなっても安定した遺伝子情報の検出が可能となり、さらに遺伝子検出装置を省電力化することができる。
【００４５】
さらに、柔軟性のある光ファイバを通して効率よく紫外線を照射できるので、紫外線照射手段を遺伝子反応管に接近させて設置する必要はなく、遺伝子検査装置の設計自由度を著しく向上させることができ、遺伝子検査装置を小型化するのが容易になる。
【００４６】
また、基体の凹部の開口から光ファイバを通して紫外線を照射し、遺伝子検査液から生じた蛍光を貫通孔から検知することにより、または、貫通孔から光ファイバを通して紫外線を照射し、遺伝子検査液から生じた蛍光を凹部の開口から検知することにより、基体の一端の一つの開口で紫外線照射と蛍光検出とを両方行なうよりも非常に高効率かつ高精度に紫外線照射および蛍光検出を行なうことができ、遺伝子検査の検査時間および精度を著しく向上できる。また、紫外線の照射方向に対して直角方向で蛍光を検出することができるため、紫外線が光検知手段に直接入り込んでノイズとなるのを防止でき、遺伝子情報の検出の分解能をより高くすることができる。
【００４７】
また、光ファイバを蓋体に安定して固定した状態で基体に取着することができるので、光ファイバの位置精度を非常に良好にして紫外線を遺伝子検査液へ好適な入射角度で照射させ、紫外線の照射効率をより高めることができるとともに、遺伝子検査管内の気密性をより向上させることができ、遺伝子検査液の反応中における減少を非常に少なくすることができる。
【００４８】
本発明の第７の遺伝子反応管は、外側面から内側面にかけて貫通孔が形成された、内部に遺伝子および試薬を含む遺伝子検査液が注入される筒状の基体と、貫通孔および両端の開口の少なくとも一つに一端部が挿入されて基体の内側を塞ぐように取着される光ファイバとを具備していることから、遺伝子反応管内で遺伝子検査液を反応させた後、紫外線を光ファイバを通して遺伝子検査液に照射させ、遺伝子検査液中の遺伝子の紫外線との反応により生じた蛍光を検知して遺伝子情報を検出することができ、遺伝子検査液を別の容器に移す必要がない。従って、作業効率を非常に向上させることができるとともに、遺伝子検査液の液量を少なくすることができるので遺伝子増幅反応の時間を短縮することができる。その結果、遺伝子検査における検査時間を大幅に短縮することができる。
【００４９】
また、紫外線を光ファイバを通して遺伝子反応管内に入射するので、紫外線が遺伝子検査液に届く前に光強度が減衰するのを有効に抑制でき、強度の小さい紫外線でも安定した遺伝子情報の検出を行なうことが可能となり遺伝子検査装置を省電力化することができる。さらに遺伝子検査液から生じた蛍光を反射し易い材質で基体を構成すると、蛍光が基体に吸収されたり基体を透過したりして蛍光強度が低下するのを有効に抑制して基体の開口や貫通孔から高効率に蛍光を検出することができることから、紫外線の強度をさらに小さくして蛍光強度が小さくなっても安定した遺伝子情報の検出が可能となり、さらに遺伝子検出装置を省電力化することができる。
【００５０】
さらに、柔軟性のある光ファイバを通して効率よく紫外線を照射できるので、紫外線照射手段を遺伝子反応管に接近させて設置する必要はなく、遺伝子検査装置の設計自由度を著しく向上させることができ、遺伝子検査装置を小型化するのが容易になる。
【００５１】
また、基体の一端の開口から光ファイバを通して紫外線を照射し、遺伝子検査液から生じた蛍光を貫通孔から検知することにより、または、貫通孔から光ファイバを通して紫外線を照射し、遺伝子検査液から生じた蛍光を基体の開口から検知することにより、基体の一端の一つの開口で紫外線照射と蛍光検出とを両方行なうよりも非常に高効率かつ高精度に紫外線照射および蛍光検出を行なうことができ、遺伝子検査の検査時間および精度を著しく向上できる。また、紫外線の照射方向に対して直角方向で蛍光を検出することができるため、紫外線が光検知手段に直接入り込んでノイズとなるのを防止でき、遺伝子情報の検出の分解能をより高くすることができる。
【００５２】
さらに、基体の両端に光ファイバを取着し、この２つの光ファイバを通して紫外線を照射するとともに、遺伝子検査液から生じた蛍光を貫通孔から検知することにより、紫外線を２方向から照射できるので紫外線の照射効率を向上させることができ、遺伝子検査液の蛍光効率を高めて遺伝子情報の検出の分解能をより高くすることができる。または、貫通孔から光ファイバを通して紫外線を照射し、遺伝子検査液から生じた蛍光を基体の両端の開口から検知することにより、蛍光を２方向から検知することができ、遺伝子検査液の蛍光効率を高めて遺伝子情報の検出の分解能をより高くすることができる。
【００５３】
本発明の第８の遺伝子反応管は、外側面から内側面にかけて貫通孔が形成された、内部に遺伝子および試薬を含む遺伝子検査液が注入される筒状の基体と、貫通孔を塞ぐように取着された窓部材と、基体の両端面に取着される蓋体とを具備しており、窓部材および蓋体の少なくとも１つは、基体の内側に通じる貫通穴が形成されているとともに貫通穴に一端部が挿通固定された光ファイバが設けられていることから、遺伝子反応管内で遺伝子検査液を反応させた後、紫外線を光ファイバを通して遺伝子検査液に照射させ、遺伝子検査液中の遺伝子の紫外線との反応により生じた蛍光を検知して遺伝子情報を検出することができ、遺伝子検査液を別の容器に移す必要がない。従って、作業効率を非常に向上させることができるとともに、遺伝子検査液の液量を少なくすることができるので遺伝子増幅反応の時間を短縮することができる。その結果、遺伝子検査における検査時間を大幅に短縮することができる。
【００５４】
また、紫外線を光ファイバを通して遺伝子反応管内に入射するので、紫外線が遺伝子検査液に届く前に光強度が減衰するのを有効に抑制でき、強度の小さい紫外線でも安定した遺伝子情報の検出を行なうことが可能となり遺伝子検査装置を省電力化することができる。さらに遺伝子検査液から生じた蛍光を反射し易い材質で基体を構成すると、蛍光が基体に吸収されたり基体を透過したりして蛍光強度が低下するのを有効に抑制して基体の開口や貫通孔から高効率に蛍光を検出することができることから、紫外線の強度をさらに小さくして蛍光強度が小さくなっても安定した遺伝子情報の検出が可能となり、さらに遺伝子検出装置を省電力化することができる。
【００５５】
さらに、柔軟性のある光ファイバを通して効率よく紫外線を照射できるので、紫外線照射手段を遺伝子反応管に接近させて設置する必要はなく、遺伝子検査装置の設計自由度を著しく向上させることができ、遺伝子検査装置を小型化するのが容易になる。
【００５６】
また、基体の一端の開口から光ファイバを通して紫外線を照射し、遺伝子検査液から生じた蛍光を貫通孔から検知することにより、または、貫通孔から光ファイバを通して紫外線を照射し、遺伝子検査液から生じた蛍光を基体の開口から検知することにより、基体の一端の一つの開口で紫外線照射と蛍光検出とを両方行なうよりも非常に高効率かつ高精度に紫外線照射および蛍光検出を行なうことができ、遺伝子検査の検査時間および精度を著しく向上できる。また、紫外線の照射方向に対して直角方向で蛍光を検出することができるため、紫外線が光検知手段に直接入り込んでノイズとなるのを防止でき、遺伝子情報の検出の分解能をより高くすることができる。
【００５７】
さらに、基体の両端に光ファイバを取着し、この２つの光ファイバを通して紫外線を照射するとともに、遺伝子検査液から生じた蛍光を貫通孔から検知することにより、紫外線を２方向から照射できるので紫外線の照射効率を向上させることができ、遺伝子検査液の蛍光効率を高めて遺伝子情報の検出の分解能をより高くすることができる。または、貫通孔から光ファイバを通して紫外線を照射し、遺伝子検査液から生じた蛍光を基体の両端の開口から検知することにより、蛍光を２方向から検知することができ、遺伝子検査液の蛍光効率を高めて遺伝子情報の検出の分解能をより高くすることができる。
【００５８】
また、光ファイバを蓋体に安定して固定した状態で基体に取着することができるので、光ファイバの位置精度を非常に良好にして紫外線を遺伝子検査液へ好適な入射角度で照射させ、紫外線の照射効率をより高めることができるとともに、遺伝子検査管内の気密性をより向上させることができ、遺伝子検査液の反応中における減少を非常に少なくすることができる。
【００５９】
本発明の遺伝子反応管は、基体が、ジルコニア質焼結体，アルミナ質焼結体，窒化珪素質焼結体または窒化アルミニウム質焼結体から成ることから、基体を内径および外径の公差が１乃至５μｍ以下と非常に高い加工精度で形成することができ、また、基体の摩擦係数が低いとともに、剛性が高く、熱膨張係数も低いことから、外部応力や温度変化に対して基体の形状を安定にすることができ、遺伝子反応管の気密性を非常に高くして、遺伝子検査液の蒸発を著しく抑制することができる。その結果、遺伝子検査液の量を非常に少なくすることができ、検査時間を著しく短縮することができる。
【００６０】
また、基体が耐食性にも非常に優れるものとなるとともに紫外線に対しても安定なものとなり、基体が遺伝子検査液に侵されたり紫外線によって劣化したりして遺伝子情報の検出の妨げとなるのを有効に抑制することができる。
【００６１】
さらに、遺伝子検査液に照射する紫外線や遺伝子検査液から生じた蛍光を内側面で効率よく反射させることができるので、紫外線強度が低下したり蛍光強度が低下するのを有効に抑制して検査精度を向上させることができる。
【００６２】
本発明の遺伝子反応管は、基体の外側面および内側面が円筒面とされていることから、基体を容易に加工することが可能となり、基体を押出成形やプレス成形，射出成形等により所定形状に成形する際、また必要があれば切削等により高精度な加工をする際、内径および外径の公差を１μｍ以下と高精度にすることができる。その結果、遺伝子反応管の形状を安定化することができ、遺伝子検査液に対する紫外線照射効率や蛍光効率を一定に維持して、遺伝子反応管ごとに遺伝子情報の検出結果が異なることのない高精度の検出が可能となる。
【００６３】
また、基体の外側面と内側面との間の厚みを全周にわたって一定にすることができ、基体の外側面から内側面に至る熱伝導時間を全周にわたって均一にして内部に収容する遺伝子検査液の温度制御を容易に行なうことができる。その結果、遺伝子増幅反応の速度を高めることができ検査時間を短縮化することができる。
【００６４】
さらに、基体の内側面において紫外線を等方的に反射することができ、遺伝子検査液に対する紫外線の照射効率を高めて遺伝子情報の検出効率を高めることができる。
【００６５】
本発明の遺伝子検査装置は、上記本発明の遺伝子反応管と、光ファイバに紫外線を入射させるための紫外線照射手段と、遺伝子検査液から出てきた光を検知するための光検知手段と、遺伝子反応管の温度を制御するための温度制御手段とを具備しており、温度制御手段により遺伝子反応管内の遺伝子検査液中の遺伝子を反応させるとともに、紫外線照射手段によって紫外線を光ファイバを介して遺伝子検査液に照射し、遺伝子検査液中の遺伝子の紫外線との反応により生じた蛍光を光検知手段により検知することから、遺伝子反応管内に遺伝子検査液を収納した状態で遺伝子の反応および遺伝子情報の検出を連続して、または同時に行なうことができ、その結果、遺伝子検査における検査時間を大幅に短縮することができるとともに遺伝子情報のより高精度な検出を行なうことができる。また、紫外線を光ファイバを通して効率よく照射できるので、紫外線強度を小さくすることができ、低消費電力の遺伝子検査装置とすることができる。
【００６６】
本発明の遺伝子検査装置は、上記本発明の遺伝子反応管と、遺伝子検査液に紫外線を入射させるための紫外線照射手段と、光ファイバから出射された光を検知するための光検知手段と、遺伝子反応管の温度を制御するための温度制御手段とを具備しており、温度制御手段により遺伝子反応管内の遺伝子検査液中の遺伝子を反応させるとともに、紫外線照射手段によって紫外線を遺伝子検査液に照射し、遺伝子検査液中の遺伝子の紫外線との反応により生じて光ファイバを介して出射された蛍光を光検知手段により検知することから、遺伝子反応管内に遺伝子検査液を収納した状態で遺伝子の反応および遺伝子情報の検出を連続して、または同時に行なうことができ、その結果、遺伝子検査における検査時間を大幅に短縮することができるとともに遺伝子情報のより高精度な検出を行なうことができる。また、遺伝子検査液から生じた蛍光を光ファイバを通して効率よく検出できるので、非常に強度の小さな蛍光も良好に検出することが可能となり、遺伝子検査精度が非常に優れたものとなる。
【発明を実施するための最良の形態】
【００６７】
本発明の遺伝子反応管の実施形態を以下に詳細に説明する。
【００６８】
図１は本発明の第１の遺伝子反応管の実施の形態の一例を示す側面図であり、図２は図１の遺伝子反応管のＡ−Ａ’線における断面図である。
【００６９】
図１，２において、１は基体、１ａは遺伝子検査液を収容するための凹部、２ｃは光ファイバであり、これら基体１、凹部１ａ、光ファイバ２ｃで、遺伝子検査液を収容するための本発明の第１の遺伝子反応管３が基本的に構成される。
【００７０】
基体１は、遺伝子および試薬を含む遺伝子検査液を収容するための保持部材、ならびに遺伝子検査液へ熱を伝達するための熱伝導体として機能している。なお、本発明において、遺伝子とはＤＮＡ内の遺伝情報を含んだ部分のことである。また、ある種のウィルスの場合は、ＲＮＡ内の遺伝情報を含んだ部分のことである。
【００７１】
基体１の材料は、ジルコニア質焼結体，アルミナ質焼結体，窒化珪素質焼結体，窒化アルミニウム質焼結体等のセラミック材料、石英、ホウケイ酸ガラス等のガラス材料、ポリプロピレン等のプラスティック材料であるが、耐熱性、耐薬品性の点から耐熱性、耐薬品性に優れるセラミック材料が好ましい。
【００７２】
好ましくは、基体１が、ジルコニア質焼結体，アルミナ質焼結体，窒化珪素質焼結体または窒化アルミニウム質焼結体から成るのがよい。これにより、基体１を内径および外径の公差が１乃至５μｍ以下と非常に高い加工精度で形成することができ、また、基体１の摩擦係数が低いとともに、剛性が高く、熱膨張係数も低いことから、外部応力や温度変化に対して基体の形状を安定にすることができ、遺伝子反応管３の気密性を非常に高くして、遺伝子検査液の蒸発を著しく抑制することができる。その結果、遺伝子検査液の量を非常に少なくすることができ、検査時間を著しく短縮することができる。また、基体１が耐食性にも非常に優れるものとなるとともに紫外線に対しても安定なものとなり、基体１が遺伝子検査液に侵されたり紫外線によって劣化したりして遺伝子情報の検出の妨げとなるのを有効に抑制することができる。さらに、遺伝子検査液に照射する紫外線や遺伝子検査液から生じた蛍光を内側面で効率よく反射させることができるので、紫外線強度が低下したり蛍光強度が低下するのを有効に抑制して検査精度を向上させることができる。
【００７３】
例えば、基体１がジルコニア質焼結体から成る場合、主成分としてＺｒＯ２、安定化剤としてＹ２Ｏ３を含有し、正方晶の結晶を主体とした部分安定化ジルコニア質焼結体を用いるのがよい。これにより寸法安定性および気密信頼性の高いものとなる。このようなジルコニア質焼結体から成る基体１は、上記の原料粉末を押出成形、射出成形、またはプレス成形等で所定形状に成形した後、焼成することによって作製することができる。
【００７４】
また、ジルコニア質焼結体から成る基体１は、平均結晶粒径が０．１μｍ〜０．５μｍであり、かつ気孔率が３％以下であるものがよい。これにより、結晶間の空隙が大きくなりすぎず、気密性が向上する。この気孔率は基体１の固体中に含まれる空隙の体積割合を百分率であらわしたもので３％を越えると、基体１の気密性や熱伝導率が低下し易くなる。
【００７５】
基体１の形状は、円柱や角柱のような柱状であり、縦断面の形状が台形状や三角形状のような両端部で大きさが異なるものでもよい。また、基体１の一端面には凹部１ａが形成されており、遺伝子および試薬を含む遺伝子検査液が凹部１ａ内に収容される。
【００７６】
好ましくは、基体１の外側面および内側面（凹部１ａの内側面）は円筒面とされているのがよい。これにより、基体１を容易に加工することが可能となり、基体１を押出成形やプレス成形，射出成形等により所定形状に成形する際、また必要があれば切削等により高精度な加工をする際、内径および外径の公差を１μｍ以下と高精度にすることができる。その結果、遺伝子反応管３の形状を安定化することができ、遺伝子検査液に対する紫外線照射効率や蛍光効率を一定に維持して、遺伝子反応管３ごとに遺伝子情報の検出結果が異なることのない高精度の検出が可能となる。また、基体１の外側面と内側面との間の厚みを全周にわたって一定にすることができ、基体１の外側面から内側面に至る熱伝導時間を全周にわたって均一にして内部に収容する遺伝子検査液の温度制御を容易に行なうことができる。その結果、遺伝子増幅反応の速度を高めることができ検査時間を短縮化することができる。さらに、基体１の内側面において紫外線を等方的に反射することができ、遺伝子検査液に対する紫外線の照射効率を高めて遺伝子情報の検出効率を高めることができる。
【００７７】
光ファイバ２ｃは、凹部１ａに一端部が挿入されて凹部１ａを塞ぐように取着され、凹部１ａに収容される遺伝子および試薬を含む遺伝子検査液を気密に保持するとともに、凹部１ａに収容される遺伝子検査液に紫外線を照射するための紫外線照射部となる。
【００７８】
また、光ファイバ２ｃは、遺伝子反応管３の外側において２本以上に分岐していてもよい。これにより、分岐した一方の光ファイバから紫外線を入射し、凹部１ａの開口部に取着された光ファイバー２ｃを通して遺伝子検査液に紫外線を照射するとともに、遺伝子検査液からの蛍光を凹部１ａに取着された光ファイバ２ｃを通して分岐した他方の光ファイバから検出することにより、低光損失の光ファイバを用いて紫外線を効率良く遺伝子検出液に照射することができるとともに遺伝子検査液からのわずかな蛍光をも精度よく検出することができ、遺伝子検査装置を省電力化および高精度化することができる。
【００７９】
また、凹部１ａに２本以上の光ファイバを束にして一本の光ファイバ２ｃとし、特定の光ファイバを紫外線入射用にし、残りの光ファイバを遺伝子検査液の蛍光の検出用としてもよい。これにより、低光損失の光ファイバを用いて紫外線を効率良く遺伝子検出液に照射することができるとともに遺伝子検査液からのわずかな蛍光をも精度よく検出することができ、遺伝子検査装置を省電力化および高精度化することができる。さらに、紫外線照射部と蛍光検出部とを別にすることで紫外線強度が低下したり光検知手段に紫外線が入ってノイズが増加するのを有効に抑制でき、より高効率で高精度な遺伝子検査を行なうことができる。
【００８０】
このような光ファイバ２ｃは、従来既知の石英等のガラス材料、プラスティック材料等からなる。より紫外線の透過性をよくして遺伝子検査液の蛍光強度を高めるという観点からは、紫外線透過率の高い石英を使用することが好ましい。
【００８１】
また、光ファイバ２ｃは遺伝子検査液から生じた蛍光に対して高い透過率を有しているのがよい。これにより、光ファイバ２ｃを通して遺伝子検査液から生じた蛍光を検出し易くなる。
【００８２】
光ファイバ２ｃの種類は、従来既知のマルチモードファイバ、シングルモードファイバ等であり、遺伝子検査液で生じた蛍光を光ファイバ２ｃを通して検出する際に遺伝子検査管の外部で蛍光を受光するため、遺伝子検査液側からの蛍光を入射し外部へ出射させやすいマルチモードファイバであることが好ましい。
【００８３】
このような光ファイバ２ｃは、例えば石英からなる場合は、線引き加工等の従来周知のガラス加工方法を施すことによって所定の光ファイバ形状に製作される。また、光ファイバ２ｃの基体１への取着は、光ファイバ２ｃの端部を基体１の凹部１ａの開口に挿入し、光ファイバ２ｃの側面と基体１とをエポキシ樹脂等の接合材を用いて接合するか、従来周知の割りスリーブ等のリングを使用することによって基体１の凹部１ａに光ファイバ２ｃを割りスリーブを介して挿入し、割りスリーブでかしめることで行われる。割りスリーブ等のリングを用いると接合材を用いる必要がなく、遺伝子検査液に接合材が溶け出して検査精度が低下したり、気密性が低下するのを有効に抑制できるので好ましい。また、光ファイバ２ｃは凹部１ａに嵌着されることによって基体１に取着されてもよい。これらの構成により、容易に光ファイバ２ｃの位置決めを行うことが可能となり、光ファイバ２ｃの位置ずれによる検査精度が低下したり、気密性が低下することも有効に抑制できる。
【００８４】
次に本発明の第２の遺伝子反応管の実施形態を以下に詳細に説明する。図３は本発明の第２の遺伝子反応管の実施の形態の一例を示す側面図であり、図４は図３のＢ−Ｂ’線における断面図である。これらの図において、２１は基体、２１ａは遺伝子検査液を収容するための凹部、２２は蓋体、２２ｃは光ファイバであり、これらで本発明の第２の遺伝子反応管２３が基本的に構成される。
【００８５】
本発明の第２の遺伝子反応管２３において、光ファイバ２２ｃを具備する蓋体２２が取着されること以外の構成は上記の第１の遺伝子反応管３と同じであるので詳細な説明は省略する。
【００８６】
本発明の第２の遺伝子反応管２３は、基体２１の凹部２１ａを塞ぐように取着される蓋体２２を具備しており、蓋体２２は、凹部２１ａに通じる貫通穴が形成されているとともに貫通穴に一端部が挿通固定された光ファイバ２２ｃが設けられている。
【００８７】
基体２１の凹部２１ａが形成されている一端面は平坦になっているのがよく、これにより蓋体２２を安定して取着することができ、蓋体２２によって凹部２１ａの気密性を良好にすることができる。
【００８８】
蓋体２２は、ジルコニア質焼結体，アルミナ質焼結体，窒化珪素質焼結体，窒化アルミニウム質焼結体等のセラミック材料、石英、ホウケイ酸ガラス等のガラス材料、ポリプロピレン等のプラスティック材料、金属材料であるが、耐熱性、耐薬品性の点から耐熱性、耐薬品性に優れるセラミック材料が好ましい。特に基体１との熱膨張係数を同じにして温度変化による応力が生じるのを有効に防止するために基体１と同じ材料であるのがよい。
【００８９】
蓋体２２には凹部２１ａに通じる貫通穴が形成されているとともに貫通穴に一端部が挿通固定された光ファイバ２２ｃが設けられている。これにより、光ファイバ２２ｃを蓋体２２に安定して固定した状態で基体２１に取着することができるので、光ファイバ２２ｃの位置精度を非常に良好にして紫外線を遺伝子検査液へ好適な入射角度で照射させ、紫外線の照射効率をより高めることができるとともに、遺伝子検査管２３内の気密性をより向上させることができ、遺伝子検査液の反応中における減少を非常に少なくすることができる。
【００９０】
光ファイバ２２ｃの材質、構成、取着方法については第１の遺伝子反応管３の場合と同じであるので詳細な説明は省略する。
【００９１】
次に本発明の第３の遺伝子反応管の実施形態を以下に詳細に説明する。図５は本発明の第３の遺伝子反応管の実施の形態の一例を示す側面図であり、図６は図５のＣ−Ｃ’線における断面図である。これらの図において、３１は基体、３１ａは遺伝子および試薬を含む遺伝子検査液を収容するための基体１の内側の空洞部、３２ｃは光ファイバであり、これらで本発明の第３の遺伝子反応管３３が基本的に構成される。
【００９２】
本発明の第３の遺伝子反応管３３において、基体３１の形状以外の構成は上記の第１の遺伝子反応管３と同じであるので詳細な説明は省略する。
【００９３】
基体３１の形状は円筒形や角筒形のような筒状であり、縦断面の形状が台形状のような両端部の大きさが異なるものでもよい。また、基体３１の両端の開口には光ファイバ３２ｃの一端部が挿入され開口を塞いでおり、光ファイバ３２ｃおよび基体３１で構成される空洞部３１ａ内に遺伝子および試薬を含む遺伝子検査液が収容される。
【００９４】
または、基体３１の一端の開口に光ファイバ３２が取着され、他端には蓋体が開口を覆うように取着されいてもよい。
【００９５】
好ましくは、基体３１の外側面および内側面は円筒面とされているのがよい。これにより、基体３１を容易に加工することが可能となり、基体３１を押出成形やプレス成形，射出成形等により所定形状に成形する際、また必要があれば切削等により高精度な加工をする際、内径および外径の公差を１μｍ以下と高精度にすることができる。その結果、遺伝子反応管３３の形状を安定化することができ、遺伝子検査液に対する紫外線照射効率や蛍光効率を一定に維持して、遺伝子反応管３３ごとに遺伝子情報の検出結果が異なることのない高精度の検出が可能となる。また、基体３１の外側面と内側面との間の厚みを全周にわたって一定にすることができ、基体３１の外側面から内側面に至る熱伝導時間を全周にわたって均一にして内部に収容する遺伝子検査液の温度制御を容易に行なうことができる。その結果、遺伝子増幅反応の速度を高めることができ検査時間を短縮化することができる。さらに、基体３１の内側面において紫外線を等方的に反射することができ、遺伝子検査液に対する紫外線の照射効率を高めて遺伝子情報の検出効率を高めることができる。
【００９６】
本発明の第３の遺伝子反応管３３は、基体３１の両端に光ファイバ３２ｃを取着し、一方の光ファイバ３２ｃを通して紫外線を照射するとともに他方の光ファイバ３２ｃで遺伝子検査液から生じた蛍光を検知することにより、または、基体３１の一端に光ファイバ３２ｃを取着し、光ファイバ３２ｃを通して紫外線を照射するとともに遺伝子検査液から生じた蛍光を他端に取着した蓋体を通して検知することにより、基体３１の一端の一つの開口で紫外線照射と蛍光検出とを両方行なうよりも非常に高効率かつ高精度に紫外線照射および蛍光検出を行なうことができ、遺伝子検査の検査時間および精度を著しく向上させることができる。
【００９７】
また、基体３１の他端に取着される蓋体を紫外線透過性とし、蓋体から紫外線を照射するとともに基体３１の一端の光ファイバ３２ｃから蛍光を検出するようにしてもよい。この場合も、基体３１の一端の一つの開口で紫外線照射と蛍光検出とを両方行なうよりも非常に高効率かつ高精度に紫外線照射および蛍光検出を行なうことができ、遺伝子検査の検査時間および精度を著しく向上させることができる。
【００９８】
基体３１の他端に蓋体が取着される場合、その蓋体は、ジルコニア質焼結体，アルミナ質焼結体，窒化珪素質焼結体，窒化アルミニウム質焼結体等のセラミック材料、石英、ホウケイ酸ガラス等のガラス材料、ポリプロピレン等のプラスティック材料、金属材料から成る。特に遺伝子検査液からの蛍光を蓋体を通して検出するためには、遺伝子検査液から生じた蛍光に対して高い透過率を有した石英やガラス，透明プラスティックが用いられるのがよい。また、紫外線を蓋体を通して照射するためには、紫外線透過率の高い石英が用いられるのがよい。
【００９９】
基体３１の他端に蓋体が取着される場合、基体３１の蓋体が取着される端面は平坦になっているのがよく、これにより蓋体３３を安定して取着することができ、蓋体３２によって空洞部３１ａの気密性を良好にすることができる。
【０１００】
光ファイバ３２ｃの材質、構成、取着方法については第１の遺伝子反応管３の場合と同じであるので詳細な説明は省略する。
【０１０１】
次に本発明の第４の遺伝子反応管の実施形態を以下に詳細に説明する。図７は本発明の第４の遺伝子反応管の実施の形態の一例を示す側面図であり、図８は図７のＤ−Ｄ’線における断面図である。これらの図において、４１は基体、４１ａは遺伝子および試薬を含む遺伝子検査液を収容するための基体１の内側の空洞部、４２は蓋体であり、これらで本発明の第４の遺伝子反応管４３が基本的に構成される。
【０１０２】
本発明の第４の遺伝子反応管４３において、光ファイバ４２ｃを具備する蓋体４２が取着されること以外の構成は上記の第３の遺伝子反応管３３と同じであるので詳細な説明は省略する。
【０１０３】
本発明の第４の遺伝子反応管４３は、基体４１の両端面に取着される蓋体４２を具備しており、蓋体４２の少なくとも一方は、基体４１の内側に通じる貫通穴が形成されているとともに貫通穴に一端部が挿通固定された光ファイバ４２ｃが設けられている。これにより、光ファイバ４２ｃを蓋体４２に安定して固定した状態で基体４１に取着することができるので、光ファイバ４２ｃの位置精度を非常に良好にして紫外線を遺伝子検査液へ好適な入射角度で照射させ、紫外線の照射効率をより高めることができるとともに、遺伝子検査管４３内の気密性をより向上させることができ、遺伝子検査液の反応中における減少を非常に少なくすることができる。
【０１０４】
次に本発明の第５の遺伝子反応管の実施形態を以下に詳細に説明する。図９は本発明の第５の遺伝子反応管の実施の形態の一例を示す側面図であり、図１０は図９のＥ−Ｅ’線における断面図である。これらの図において、５１は基体、５１ａは遺伝子検査液を収容するための凹部、５２ｃは光ファイバ、５５は基体５１の外側面から内側面にかけて形成された貫通孔であり、これらで本発明の第５の遺伝子反応管５３が基本的に構成される。
【０１０５】
本発明の第５の遺伝子反応管５３において、基体５１の形状以外の構成は上記の第１の遺伝子反応管３と同じであるので詳細な説明は省略する。
【０１０６】
基体５１は、一端面に遺伝子および試薬を含む遺伝子検査液を収容するための凹部５１ａを有するとともに、その外側面から凹部５１ａの内側面にかけて貫通孔５５が形成されており、貫通孔５５および凹部５１ａの少なくとも一方に一端部が挿入されて凹部５１を塞ぐように光ファイバ５２ｃが取着される。
【０１０７】
例えば、凹部５１ａの開口および貫通孔５５の両方に光ファイバ５２ｃが取着されてもよく、いずれか一方に光ファイバ５２ｃが取着され、他方に蓋体が取着されてもよい。
【０１０８】
本発明の第５の遺伝子反応管５３は、基体５１の凹部５１ａの開口から光ファイバ５２ｃを通して紫外線を照射し、遺伝子検査液から生じた蛍光を貫通孔５５から検知することにより、または、貫通孔５５から光ファイバ５２ｃを通して紫外線を照射し、遺伝子検査液から生じた蛍光を凹部５１ａの開口から検知することにより、基体５１の一端の一つの開口で紫外線照射と蛍光検出とを両方行なうよりも非常に高効率かつ高精度に紫外線照射および蛍光検出を行なうことができ、遺伝子検査の検査時間および精度を著しく向上できる。また、紫外線の照射方向に対して直角方向で蛍光を検出することができるため、紫外線が光検知手段に直接入り込んでノイズとなるのを防止でき、遺伝子情報の検出の分解能をより高くすることができる。
【０１０９】
また、貫通孔５５または凹部５１ａの開口から紫外線を照射することにより生じた遺伝子検査液からの蛍光を、それぞれ凹部５１ａの開口を塞ぐ光ファイバ５２ｃまたは貫通孔５５を塞ぐ光ファイバ５２ｃで検出してもよい。この場合も、基体５１の一端の一つの開口で紫外線照射と蛍光検出とを両方行なうよりも非常に高効率かつ高精度に紫外線照射および蛍光検出を行なうことができ、遺伝子検査の検査時間および精度を著しく向上できる。また、紫外線の照射方向に対して直角方向で蛍光を検出することができるため、紫外線が光検知手段に直接入り込んでノイズとなるのを防止でき、遺伝子情報の検出の分解能をより高くすることができる。
【０１１０】
光ファイバ５２ｃや凹部５１ａの開口を塞ぐ蓋体については上記の第１〜第４の遺伝子反応管３，２３，３３，４３の場合と同じであるので詳細な説明は省略する。また、貫通孔５５を塞ぐ窓部材５５ａについては、凹部５１ａの開口を塞ぐ蓋体と同様である。
【０１１１】
窓部材５５ａは、図１０に示すように貫通孔５５に嵌着することによって基体５１に取着されてもよく、基体５１の外側面に貫通孔５５の開口の周囲に接合することによって基体５１に取着されてもよい。好ましくは、図１０のように窓部材５５ａが基体５１の内側面と面一になるように貫通孔５５に嵌着されているのがよい。これにより、貫通孔５５と窓部材５５ａとから成る窪みが生じて遺伝子反応液が滞留したり紫外線の照射が妨げられるのを有効に抑制でき、遺伝子の複製反応を良好に進行させることができるとともに、紫外線を遺伝性検査液に均一に照射して遺伝子情報の検出の分解能を向上させることができる。
【０１１２】
次に本発明の第６の遺伝子反応管の実施形態を以下に詳細に説明する。図１１は本発明の第６の遺伝子反応管の実施の形態の一例を示す側面図であり、図１２は図１１のＦ−Ｆ’線における断面図である。これらの図において、６１は基体、６１ａは遺伝子検査液を収容するための凹部、６２は蓋体、６２ｃは光ファイバ、６５は基体６１の外側面から内側面にかけて形成された貫通孔であり、これらで本発明の第６の遺伝子反応管６３が基本的に構成される。
【０１１３】
本発明の第６の遺伝子反応管６３において、凹部６１ａの開口を塞ぐように取着される蓋体６２および貫通孔６５を塞ぐように取着される窓部材６５ａの少なくとも一方に、光ファイバ６２ｃの一端部が挿入されたを貫通穴を具備すること以外の構成は上記の第５の遺伝子反応管５３と同じであるので詳細な説明は省略する。
【０１１４】
本発明の第６の遺伝子反応管６３は、窓部材６５ａおよび蓋体６２の少なくとも一方に凹部６１ａに通じる貫通穴が形成されているとともに貫通穴に一端部が挿通固定された光ファイバ６２ｃが設けられている。これにより、光ファイバ６２ｃを蓋体６２または窓部材６５ａに安定して固定した状態で基体６１に取着することができるので、光ファイバ６２ｃの位置精度を非常に良好にして紫外線を遺伝子検査液へ好適な入射角度で照射させ、紫外線の照射効率をより高めることができるとともに、遺伝子検査管６３内の気密性をより向上させることができ、遺伝子検査液の反応中における減少を非常に少なくすることができる。
【０１１５】
次に本発明の第７の遺伝子反応管の実施形態を以下に詳細に説明する。図１３は本発明の第７の遺伝子反応管の実施の形態の一例を示す側面図であり、図１４は図１３のＧ−Ｇ’線における断面図である。これらの図において、７１は基体、７１ａは遺伝子および試薬を含む遺伝子検査液を収容するための基体７１の内側の空洞部、７５は基体７１の外側面から内側面にかけて形成された貫通孔であり、これらで本発明の第７の遺伝子反応管７３が基本的に構成される。
【０１１６】
本発明の第７の遺伝子反応管７３において、基体７１の形状以外の構成は上記の第３の遺伝子反応管３と同じであるので詳細な説明は省略する。
【０１１７】
基体７１は、内部に遺伝子および試薬を含む遺伝子検査液が注入される筒状であるとともに、外側面から内側面にかけて貫通孔７５が形成されており、貫通孔７５および両端の開口の少なくとも一つに一端部が挿入されて基体７１内側を塞ぐように光ファイバ７２ｃが取着される。
【０１１８】
例えば、基体７１の両端および貫通孔７５に光ファイバ７２ｃが取着されてもよく、いずれか１つまたは２つに光ファイバ７２ｃが取着され、残りの部位に蓋体が取着されてもよい。
【０１１９】
本発明の第７の遺伝子反応管７３は、基体７１の一端の開口から光ファイバ７２ｃを通して紫外線を照射し、遺伝子検査液から生じた蛍光を貫通孔７５から検知することにより、または、貫通孔７５から光ファイバ７２ｃを通して紫外線を照射し、遺伝子検査液から生じた蛍光を基体７１の開口から検知することにより、基体７１の一端の一つの開口で紫外線照射と蛍光検出とを両方行なうよりも非常に高効率かつ高精度に紫外線照射および蛍光検出を行なうことができ、遺伝子検査の検査時間および精度を著しく向上できる。また、紫外線の照射方向に対して直角方向で蛍光を検出することができるため、紫外線が光検知手段に直接入り込んでノイズとなるのを防止でき、遺伝子情報の検出の分解能をより高くすることができる。
【０１２０】
さらに、基体７１の両端に光ファイバ７２ｃを取着し、この２つの光ファイバ７２ｃを通して紫外線を照射するとともに、遺伝子検査液から生じた蛍光を貫通孔７５から検知することにより、紫外線を２方向から照射できるので紫外線の照射効率を向上させることができ、遺伝子検査液の蛍光効率を高めて遺伝子情報の検出の分解能をより高くすることができる。または、貫通孔から光ファイバを通して紫外線を照射し、遺伝子検査液から生じた蛍光を基体の両端の開口から検知することにより、蛍光を２方向から検知することができ、遺伝子検査液の蛍光効率を高めて遺伝子情報の検出の分解能をより高くすることができる。
【０１２１】
また、貫通孔７５または基体７１の開口から紫外線を照射することにより生じた遺伝子検査液からの蛍光を、それぞれ凹部５１ａの開口を塞ぐ光ファイバ７２ｃまたは貫通孔７５を塞ぐ光ファイバ７２ｃで検出してもよい。この場合も、基体７１の一端の一つの開口で紫外線照射と蛍光検出とを両方行なうよりも非常に高効率かつ高精度に紫外線照射および蛍光検出を行なうことができ、遺伝子検査の検査時間および精度を著しく向上できる。また、紫外線の照射方向に対して直角方向で蛍光を検出することができるため、紫外線が光検知手段に直接入り込んでノイズとなるのを防止でき、遺伝子情報の検出の分解能をより高くすることができる。
【０１２２】
光ファイバ７２ｃや基体７１の開口を塞ぐ蓋体については上記の第１〜第６の遺伝子反応管３，２３，３３，４３，５３，６３の場合と同じであるので詳細な説明は省略する。また、貫通孔７５を塞ぐ窓部材７５ａについては、凹部７１ａの開口を塞ぐ蓋体と同様である。
【０１２３】
窓部材７５ａは、図１４に示すように貫通孔７５に嵌着することによって基体７１に取着されてもよく、基体７１の外側面に貫通孔７５の開口の周囲に接合することによって基体７１に取着されてもよい。好ましくは、図１４のように窓部材７５ａが基体７１の内側面と面一になるように貫通孔７５に嵌着されているのがよい。これにより、貫通孔７５と窓部材７５ａとから成る窪みが生じて遺伝子反応液が滞留したり紫外線の照射が妨げられるのを有効に抑制でき、遺伝子の複製反応を良好に進行させることができるとともに、紫外線を遺伝性検査液に均一に照射して遺伝子情報の検出の分解能を向上させることができる。
【０１２４】
次に本発明の第８の遺伝子反応管の実施形態を以下に詳細に説明する。図１５は本発明の第８の遺伝子反応管の実施の形態の一例を示す側面図であり、図１６は図１５のＨ−Ｈ’線における断面図である。これらの図において、８１は基体、８１ａは遺伝子および試薬を含む遺伝子検査液を収容するための基体８１の内側の空洞部、８２は蓋体、８５は基体８１の外側面から内側面にかけて形成された貫通孔であり、これらで本発明の第８の遺伝子反応管８３が基本的に構成される。
【０１２５】
本発明の第８の遺伝子反応管８３において、凹部８１ａの開口を塞ぐように取着される蓋体８２および貫通孔８５を塞ぐように取着される窓部材８５ａの少なくとも一つに、光ファイバ８２ｃの一端部が挿入されたを貫通穴を具備すること以外の構成は上記の第７の遺伝子反応管７３と同じであるので詳細な説明は省略する。
【０１２６】
本発明の第８の遺伝子反応管８３は、窓部材８５ａおよび蓋体８２の少なくとも一つに凹部８１ａに通じる貫通穴が形成されているとともに貫通穴に一端部が挿通固定された光ファイバ８２ｃが設けられている。これにより、光ファイバ８２ｃを蓋体８２または窓部材８５ａに安定して固定した状態で基体８１に取着することができるので、光ファイバ８２ｃの位置精度を非常に良好にして紫外線を遺伝子検査液へ好適な入射角度で照射させ、紫外線の照射効率をより高めることができるとともに、遺伝子検査管８３内の気密性をより向上させることができ、遺伝子検査液の反応中における減少を非常に少なくすることができる。
【０１２７】
このような本発明の第１乃至第８のいずれかに記載の遺伝子反応管３，２３，３３，４３，５３，６３，７３，８３と、光ファイバ２ｃ，２２ｃ，３２ｃ，４２ｃ，５２ｃ，６２ｃ，７２ｃ，８２ｃに紫外線を入射させるための紫外線照射手段と、遺伝子検査液から出てきた光を検知するための光検知手段と、遺伝子反応管３，２３，３３，４３，５３，６３，７３，８３の温度を制御するための温度制御手段とを具備することにより、図１７に示すような本発明の遺伝子検査装置となる。
【０１２８】
そして、温度制御手段により遺伝子反応管３，２３，３３，４３，５３，６３，７３，８３内の遺伝子検査液中の遺伝子を反応させるとともに、紫外線照射手段によって紫外線を光ファイバ２ｃ，２２ｃ，３２ｃ，４２ｃ，５２ｃ，６２ｃ，７２ｃ，８２ｃを介して遺伝子検査液に照射し、遺伝子検査液中の遺伝子の紫外線との反応により生じた蛍光を光検知手段により検知することにより、遺伝子反応管内３，２３，３３，４３，５３，６３，７３，８３に遺伝子検査液を収納した状態で遺伝子の反応および遺伝子情報の検出を連続して、または同時に行なうことができ、その結果、遺伝子検査における検査時間を大幅に短縮することができるとともに遺伝子情報のより高精度な検出を行なうことができる。
【０１２９】
また、紫外線を光ファイバ２ｃ，２２ｃ，３２ｃ，４２ｃ，５２ｃ，６２ｃ，７２ｃ，８２ｃを通して効率よく照射できるので、紫外線強度を小さくすることができ、低消費電力の遺伝子検査装置とすることができる。
【０１３０】
または、上記のような本発明の第１乃至第８のいずれかに記載の遺伝子反応管３，２３，３３，４３，５３，６３，７３，８３と、遺伝子検査液に紫外線を入射させるための紫外線照射手段と、光ファイバ２ｃ，２２ｃ，３２ｃ，４２ｃ，５２ｃ，６２ｃ，７２ｃ，８２ｃから出射された光を検知するための光検知手段と、遺伝子反応管３，２３，３３，４３，５３，６３，７３，８３の温度を制御するための温度制御手段とを具備することにより、図１７に示すような本発明の遺伝子検査装置となる。
【０１３１】
そして、温度制御手段により遺伝子反応管３，２３，３３，４３，５３，６３，７３，８３内の遺伝子検査液中の遺伝子を反応させるとともに、紫外線照射手段によって紫外線を遺伝子検査液に照射し、遺伝子検査液中の遺伝子の紫外線との反応により生じて光ファイバ２ｃ，２２ｃ，３２ｃ，４２ｃ，５２ｃ，６２ｃ，７２ｃ，８２ｃを介して出射された蛍光を光検知手段により検知することにより、遺伝子反応管内に遺伝子検査液を収納した状態で遺伝子の反応および遺伝子情報の検出を連続して、または同時に行なうことができ、その結果、遺伝子検査における検査時間を大幅に短縮することができるとともに遺伝子情報のより高精度な検出を行なうことができる。
【０１３２】
また、遺伝子検査液から生じた蛍光を光ファイバ２ｃ，２２ｃ，３２ｃ，４２ｃ，５２ｃ，６２ｃ，７２ｃ，８２ｃを通して効率よく検出できるので、非常に強度の小さな蛍光も良好に検出することが可能となり、遺伝子検査精度が非常に優れたものとなる。
【実施例】
【０１３３】
従来の遺伝子反応管に対する本発明の遺伝子反応管の検査効率を確認するための評価を以下のように行なった。
【０１３４】
図５，６に示すような本発明の遺伝子反応管３３として、全長１０ｍｍ、外径２ｍｍ、内径１２６μｍの筒状のジルコニア質焼結体から成る基体３１を準備した。
【０１３５】
そして、目的の遺伝子である２本鎖ＤＮＡを含むヒトの血液からＤＮＡ断片を抽出した検体と、周知のＤＮＡ合成方法によって作成した、この目的の遺伝子に対して相補的な塩基配列を持つプライマーと、耐熱性ＤＮＡポリメラーゼ（TaKaRa Ex Taq  タカラバイオ社製）とを混合した遺伝子検査液となる試薬をＤＮＡ基体３１の内部に注入し、基体３１の両端の開口に、それぞれ光ファイバ３２ｃを嵌着させることにより試料を作製した。
【０１３６】
次にこの試料を、ヒーターで温度を調整することによって、９５℃の温度で３０ｓｅｃ反応させた後、５５℃の温度で３０ｓｅｃ反応させ、次に７５℃の温度で３０ｓｅｃ反応させた。この一連の工程を１サイクルとし、合計４０サイクル繰り返した。
【０１３７】
このようにして反応させた遺伝子検査液に対して、一方の光ファイバ３２ｃから紫外線を入射し、遺伝子検査液の蛍光反応によって出射した出射光を他方の光ファイバ３２ｃを通して受光機によって検出することにより、遺伝子増幅反応が正しく行なわれているか検査した。
【０１３８】
次に比較として、図１０に示すような全長３０ｍｍ、外周の直径１０ｍｍ、開孔部の内径９．５ｍｍ、内径の凹部深さ２６ｍｍの逆円錐型のポリプロピレン製の基体１０１と、直径１０ｍｍ、高さ０．５ｍｍのポリプロピレン製の蓋体１０２とから成る従来の遺伝子反応管を用い、上記と同様にして４０サイクルの遺伝子増幅反応を行った。
【０１３９】
この比較例の遺伝子検査液を蛍光検出法により蛍光検出を行うため、基体から遺伝子検査液を取り出して蛍光セルに移した後、遺伝子検査液へ紫外線を入射し、遺伝子検査液の蛍光反応によって出射した出射光を受光機により検出することにより、遺伝子増幅反応が正しく行われているか検査した。
【０１４０】
そして、このような手順で行なった遺伝子増幅反応の検査について、遺伝子増幅反応が完了してから蛍光検出法により蛍光検出を完了するまでの時間をストップウォッチにて測定することにより、検査時間の評価を行った。
【０１４１】
表１に評価結果を示す。表１は試料および比較例の検査時間をそれぞれ示したものである。
【表１】
2005095089.tif 000003
【０１４２】
表１より、従来の遺伝子反応管１０３を用いた比較例では１０個の測定に対して合計２４８分もの検査時間が必要であるのに対し、本発明の遺伝子反応管３３を用いた試料では１０個の測定に対して５９分となり、検査時間が非常に短縮できることがわかった。
【０１４３】
なお、本評価において試料および比較例のいずれも蛍光が十分に検出されており、特に本発明の遺伝子反応管３を用いた試料では遺伝子増幅反応が比較例よりも進んでいるのが確認され、遺伝子増幅反応においても本発明の遺伝子反応管３３を用いることにより反応時間を短縮できることがわかった。
【０１４４】
なお、本発明は以上の実施の形態の例に限定されるものではなく、本発明の要旨を逸脱しない範囲であれば形状、材料、組み立て方法に関する種々の変更を行なうことは何等差し支えない。
【図面の簡単な説明】
【０１４５】
【図１】本発明の第１の遺伝子反応管の実施の形態の一例を示す側面図である。
【図２】図１の遺伝子反応管のＡ−Ａ’線における断面図である。
【図３】本発明の第２の遺伝子反応管の実施の形態の一例を示す側面図である。
【図４】図３の遺伝子反応管のＢ−Ｂ’線における断面図である。
【図５】本発明の第３の遺伝子反応管の実施の形態の一例を示す断面図である。
【図６】図５の遺伝子反応管のＣ−Ｃ’線における断面図である。
【図７】本発明の第４の遺伝子反応管の実施の形態の一例を示す側面図である。
【図８】図７の遺伝子反応管のＤ−Ｄ’線における断面図である。
【図９】本発明の第５の遺伝子反応管の実施の形態の一例を示す側面図である。
【図１０】図９の遺伝子反応管のＥ−Ｅ’線における断面図である。
【図１１】本発明の第６の遺伝子反応管の実施の形態の一例を示す側面図である。
【図１２】図１１の遺伝子反応管のＦ−Ｆ’線における断面図である。
【図１３】本発明の第７の遺伝子反応管の実施の形態の一例を示す断面図である。
【図１４】図１３の遺伝子反応管のＧ−Ｇ’線における断面図である。
【図１５】本発明の第８の遺伝子反応管の実施の形態の一例を示す断面図である。
【図１６】図１５の遺伝子反応管のＨ−Ｈ’線における断面図である。
【図１７】本発明の遺伝子検査装置の実施の形態の一例を示すブロック図である。
【図１８】（ａ）は従来の遺伝子反応管の断面図、（ｂ）は（ａ）の遺伝子反応管の蓋体を外した状態での斜面図である。
【符号の説明】
【０１４６】
１，２１，３１，４１，５１，６１，７１，８１：基体
１ａ，２１ａ，５１ａ，６１ａ：凹部
３１ａ，４１ａ，７１ａ，８１ａ：空洞部
２２，４２，６２，８２：蓋体
３，２３，３３，４３，５３，６３，７３，８３：遺伝子反応管
５５，６５，７５，８５：貫通孔
【図１】
2005095089.tif 000004
【図２】
2005095089.tif 000005
【図３】
2005095089.tif 000006
【図４】
2005095089.tif 000007
【図５】
2005095089.tif 000008
【図６】
2005095089.tif 000009
【図７】
2005095089.tif 000010
【図８】
2005095089.tif 000011
【図９】
2005095089.tif 000012
【図１０】
2005095089.tif 000013
【図１１】
2005095089.tif 000014
【図１２】
2005095089.tif 000015
【図１３】
2005095089.tif 000016
【図１４】
2005095089.tif 000017
【図１５】
2005095089.tif 000018
【図１６】
2005095089.tif 000019
【図１７】
2005095089.tif 000020
【図１８】
2005095089.tif 000021